(57)【特許請求の範囲】
【請求項１】
ワイヤレスネットワークのネットワークエレメント（１０）により、前記ネットワークエレメントが接続された運用及び保守（ＯＡＭ）システム（２００）に性能管理（ＰＭ）データを提供する方法であって、前記ＰＭデータは、前記ネットワークエレメント（１０）に関連付けられた一つ以上のオブジェクト（３４０ａ，４２０ａ）に関係しており、前記方法は、
前記ネットワークエレメント（１０）により、前記一つ以上のオブジェクト（３４０ａ，４２０ａ）のうちの少なくとも一つが、前記ＯＡＭシステム（２００）では見えないアンミラードオブジェクトであるかどうかを判定すること（７０２）と、
前記一つ以上のオブジェクト（３４０ａ，４２０ａ）のうちの少なくとも一つがアンミラードオブジェクトであれば、前記ネットワークエレメント（１０）により、前記少なくとも一つのアンミラードオブジェクトのＰＭデータを、前記ネットワークエレメント（１０）に関連付けられた更なるオブジェクトのＰＭデータと共に蓄積すること（７０４）と、
前記ネットワークエレメント（１０）により、蓄積された前記ＰＭデータを前記ＯＡＭシステム（２００）に提供すること（７０６）と
を有することを特徴とする方法。
【請求項２】
前記更なるオブジェクトは、前記ネットワークエレメント（１０）に関連付けられ、かつ、前記少なくとも一つのアンミラードオブジェクトと同じオブジェクトクラスに属するアンミラードオブジェクトであり、
前記蓄積するステップは、前記少なくとも一つのアンミラードオブジェクトのＰＭデータを前記更なるアンミラードオブジェクトの前記ＰＭデータと共に蓄積するステップを含むことを特徴とする請求項１に記載の方法。
【請求項３】
前記蓄積するステップは、同じオブジェクトクラスに属しているすべてのアンミラードオブジェクトの前記ＰＭデータを蓄積するステップを含むことを特徴とする請求項１又は２に記載の方法。
【請求項４】
前記蓄積するステップは、オブジェクトクラスごとに、新たに生成されたオブジェクト（３６０，４４０）に前記ＰＭデータを蓄積するステップを含み、
前記提供するステップは、前記新たに作成されたオブジェクト（３６０，４４０）に蓄積された前記ＰＭデータを前記ＯＡＭシステム（２００）に報告するステップを含むことを特徴とする請求項１乃至３のいずれか一項に記載の方法。
【請求項５】
前記蓄積するステップは、
同じオブジェクトクラスに関係するアンミラードオブジェクトのＰＭデータを同じ新たに作成されたオブジェクト（３６０，４４０）に蓄積するステップと、
異なるオブジェクトクラスの前記ＰＭデータを異なる新たに生成されたオブジェクトに蓄積するステップと
の少なくとも一つを含むことを特徴とする請求項１乃至４のいずれか一項に記載の方法。
【請求項６】
前記蓄積するステップは、オブジェクトクラスごとに、前記少なくとも一つのアンミラードオブジェクトの親オブジェクト（３２０，４２０）に前記ＰＭデータを蓄積するステップを含み、
前記提供するステップは、前記親オブジェクト（３２０，４２０）に蓄積された前記ＰＭデータを前記ＯＡＭシステム（２００）に報告するステップを含むことを特徴とする請求項１乃至３のいずれか一項に記載の方法。
【請求項７】
前記少なくとも一つのアンミラードオブジェクトは、前記ネットワークエレメント（１０）の隣接ネットワークエレメントに関する情報を提供している隣接セルオブジェクト（４２０ａ）と、前記ネットワークエレメント（１０）と隣接ネットワークエレメント（１２）との間の関係についての情報を提供している隣接セル関係オブジェクト（３４０ａ）とのうちの少なくとも一つを含むか、または、前記隣接セルオブジェクト（４２０ａ）と前記隣接セル関係オブジェクト（３４０ａ）とのうちの少なくとも一つとして構成されることを特徴とする請求項１乃至６のいずれか一項に記載の方法。
【請求項８】
前記方法は、
ネットワークエレメント（１０）によって、前記一つ以上のオブジェクト（３４０ａ，４２０ａ）のうちの少なくとも一つが、前記ＯＡＭシステムで見ることのできるミラードオブジェクトであるかどうかを判定するステップと、
前記一つ以上のオブジェクトのうちの少なくとも一つがミラードオブジェクトであるならば、前記少なくとも一つのアンミラードオブジェクトの前記ＰＭデータと共に前記少なくとも一つのミラードオブジェクトのＰＭデータを蓄積するステップと
を更に有することを特徴とする請求項１乃至７のいずれか一項に記載の方法。
【請求項９】
前記提供するステップは、前記少なくとも一つのオブジェクト（３４０ａ，４２０ａ）のＩＤと、前記更なるオブジェクトのためのＰＭデータが蓄積されるところのその前記更なるオブジェクトのＩＤとについての情報を報告するステップをさらに含むことを特徴とする請求項１乃至８のいずれか一項に記載の方法。
【請求項１０】
前記少なくとも一つのオブジェクト（３４０ａ，４２０ａ）が、３ＧＰＰオブジェクトモデルに従うオブジェクトと、前記ネットワークエレメント（１０）における、資源を監視しかつ管理するための一つ以上のインタフェースを提供する前記資源の表現と、のうちの少なくとも一つであることを特徴とする請求項１乃至９のいずれか一項に記載の方法。
【請求項１１】
運用及び保守（ＯＡＭ）システム（２００）に性能管理（ＰＭ）データを提供する通信ネットワークのネットワークエレメント（１０）であって、前記運用及び保守（ＯＡＭ）システム（２００）には前記ネットワークエレメント（１０）が接続されており、前記ＰＭデータは、前記ネットワークエレメント（１０）に関連付けられた一つ以上のオブジェクト（３４０ａ，４２０ａ）に関係しており、前記ネットワークエレメント（１０）は、
前記一つ以上のオブジェクト（３４０ａ，４２０ａ）のうちの少なくとも一つが、前記ＯＡＭシステム（２００）では見えないアンミラードオブジェクトであるかどうかを判定するよう構成された判定コンポーネント（１１２）と、
前記一つ以上のオブジェクトのうちの少なくとも一つがアンミラードオブジェクトであるならば、前記ネットワークエレメント（１０）と関連づけられた更なるオブジェクトのＰＭデータと共に前記少なくとも一つのアンミラードオブジェクトのＰＭデータを蓄積するよう構成された蓄積コンポーネント（１１４）と、
蓄積された前記ＰＭデータを前記ＯＡＭシステム（２００）に提供するよう構成された送信コンポーネント（１３２）と
を有することを特徴とするネットワークエレメント（１０）。
【請求項１２】
前記蓄積コンポーネント（１１４）は、同じオブジェクトクラスに属しているすべてのアンミラードオブジェクトの前記ＰＭデータを蓄積するよう更に構成されることを特徴とする請求項１１に記載のネットワークエレメント（１０）。
【請求項１３】
前記判定コンポーネント（１１２）は、前記一つ以上のオブジェクト（３４０ａ，４２０ａ）のうちの少なくとも一つが、ミラードオブジェクトのためのＰＭデータを前記ＯＡＭシステム（２００）で監視可能なところのそのミラードオブジェクトであるかどうかを判定するよう更に構成され、
前記蓄積コンポーネント（１１４）は、前記一つ以上のオブジェクト（３４０ａ，４２０ａ）のうちの少なくとも一つがミラードオブジェクトであるならば、前記少なくとも一つのアンミラードオブジェクトの前記ＰＭデータと共に前記少なくとも一つのミラードオブジェクトのＰＭデータを蓄積するよう更に構成される
ことを特徴とする請求項１１又は１２に記載のネットワークエレメント（１０）。
【請求項１４】
請求項１１乃至１３のいずれか一項に記載のネットワークエレメント（１０）であって、
前記ネットワークエレメント（１０）が、無線基地局あるいは無線ネットワークコントローラあるいは基地局コントローラを含むか、または、無線基地局あるいは無線ネットワークコントローラあるいは基地局コントローラとして構成され、及び／又は、
前記ネットワークエレメント（１０）が、請求項１乃至１０のいずれか一項に記載の方法を実行するよう構成される
ことを特徴とする請求項１１乃至１３のいずれか一項に記載のネットワークエレメント（１０）。
【請求項１５】
請求項１乃至１０のいずれか一項に記載の方法を実行するよう構成されることを特徴とする請求項１１乃至１４のいずれか一項に記載のネットワークエレメント（１０）。
【請求項１６】
無線通信システムであって、
請求項１１乃至１５のいずれか一項に記載のネットワークエレメント（１０）と、
前記ネットワークエレメント（１０）によって提供されるＰＭデータを要求し、保守するよう構成された運用及び保守（ＯＡＭ）システム（２００）と
を有することを特徴とする無線通信システム。
【請求項１７】
コンピュータプログラムであって、前記コンピュータプログラムが一つ以上のコンピューティングデバイス上で実行される場合に請求項１乃至１０のいずれか一項に記載の方法の前記ステップを実行するプログラムコード部を有することと特徴とするコンピュータプログラム。
【請求項１８】
請求項１７に記載のコンピュータプログラムを含むことを特徴とするコンピュータ可読記録媒体。
【発明の詳細な説明】
【技術分野】
【０００１】
この明細書は性能管理の分野に関連している。より具体的に、この明細書は、ワイヤレスネットワークのネットワークエレメントが接続された運用及び保守（ＯＡＭ）システムに対して前記ネットワークエレメントにより性能管理（ＰＭ）データを提供する技術に関連している。
【背景技術】
【０００２】
ワイヤレスネットワーク（例えばワイヤレス通信ネットワークやワイヤレス無線通信ネットワークまたはセルラーネットワークと呼ばれることもある）は、通常、それぞれが少なくとも一つの基地局（無線基地局と呼ばれることもある）によって提供されるセルに分割される無線ネットワークである。
【０００３】
移動ネットワークの中の別々のセルは、様々な負荷、干渉、負荷の変化、およびそれら別々のセルの内部にあるユーザ機器（ＵＥ）のような移動端末の数の変化を経験する。これらの変化はしばしば、別々のセルにおける性能の変動、および、場合により例えばピーク時間の間のいくつかのセルにおける能力または資源の一時的な過負荷をもたらしている。ワイヤレス通信ネットワークを監督するために、別々の性能管理（ＰＭ）測定（簡潔には性能測定（ＰＭ）である）が、例えばセルレベルで実行される。
【０００４】
ワイヤレス通信ネットワークを監督するために、ワイヤレス通信ネットワークの中の別々のノード（またネットワークエレメントまたはネットワークノードと称されることもある）は、カウンタを使ってイベントを記録することができ、そのカウンタ値は定期的に運用及び保守（ＯＡＭ）システムに報告または送信される。これら別々のカウンタはＰＭ測定データの一部であり得る。これらのカウンタのいくつかはセル単位または隣接セル関係（ＣＲ）単位であってよい。ＣＲは、ワイヤレス通信ネットワークの中の二つの隣接セルの間の関連に関係している。
【０００５】
第３世代パートナーシッププロジェクト（３ＧＰＰ）技術仕様（ＴＳ）３２．４０１中で、ＰＭ測定に関する全体の概念と要件とが記述されている。ＰＭ測定は、ドライブテスト最小化（ＭＤＴ）データの場合のような個々のＵＥレベルの性能の代わりにセル全体のレベルの性能を示すために使われる。この文脈において、それはまた例えばＥ−ＵＴＲＡＮ  ＰＭ測定に関するＴＳ３２．４２５およびＵＴＲＡＮ  ＰＭ測定に関する３２．４０５とも呼ばれる。
【０００６】
通信ネットワークは、多くの無線アクセス技術（ＲＡＴ）、多くの周波数、および同じ場所における大型セルと（多くの）小型セルとの混在を用いて、より高密度化されている。この高密度化が、これらのネットワークの中のセルが、異なる周波数およびＲＡＴ上で非常に多くの隣接セル（ＮＣ）を持つという結果をもたらす。そのとき一つのセルはこれらの隣接セル各々にＣＲを有する。一般に、各セルは他の隣接セルに、いくつかの隣接関係を持っている。ワイヤレス通信ネットワークは、各セルが複数のＣＲを有し、膨大な量のＣＲをもたらす非常に大量のセルを含むことがあり得る。
【０００７】
従来、カウンタおよび統計、イベントまたはその少なくともいずれかのようなＰＭデータは、ネットワークの中で生み出されて、例えばあらゆるＣＲのためにＯＡＭシステムに報告される。前記高密度化によって、ＰＭデータの量は、ネットワークノードにおいて、バックホールネットワークによって、およびＯＡＭシステムにおいて処理が困難な数に増える。ネットワークノードは、そのノード自身によってコントロールされたセルのだけでなく、他のネットワークノードによってコントロールされるセルである外部セルの表現(representation)を保持する。これらＥＣのいくつかはＮＣでもある。ネットワークの上の外部セル（ＥＣ）とＣＲの総計もまたＯＡＭシステムに対する問題になる。これは特に長期発展（ＬＴＥ）ネットワークに関するケースであり得、その場合、通常ＬＴＥにおけるｅＮｏｄｅＢまたはｅＮＢと称されるすべての基地局は、ＯＡＭシステムにおいてコピーされ保存される(mirrored)それ自身のＥＣとＣＲの組を持っている。
【０００８】
したがって、ＣＲが多くなるにつれて、測定されたＰＭデータの総計は膨大になる。ワイヤレスネットワークにおけるいわゆる自動隣接関係（ＡＮＲ）機能によって、移動端末は、発見時にＣＲが自動的に導入されることになる隣人を一意的に特定することができる。それゆえ、ＯＡＭシステムへのシグナリングに関してと、ＯＡＭシステム中のデータベースストレージの中との両方で、ＰＭ（測定）データを処理することは課題である。
【０００９】
例えば、ＷＯ２０１３／０１０５６６Ａ１とＷＯ２０１３／０６６２４１Ａ１において述べられているような現在の解決策は、選択されたＣＲに対するＰＭデータの報告を減らすか又は除くことによってＯＡＭシステムにより処理されるＰＭデータを減らすことをめざしている。
【発明の概要】
【００１０】
ＯＡＭシステム（単数または複数）では見えない一つ以上のオブジェクトの少なくとも幾つかの監視可能性を提供する技術の必要性がある。
【００１１】
第一の態様によれば、ワイヤレスネットワークのネットワークエレメントにより性能管理（ＰＭ）データを運用及び保守（ＯＡＭ）システムに対して提供する方法が提供される。そのネットワークエレメントはＯＡＭシステムに接続される。ＰＭデータは、ネットワークエレメントと関連づけられた一つ以上のオブジェクトに関係している。この方法は、ネットワークエレメントによって、一つ以上のオブジェクトのうちの少なくとも一つが、ＯＡＭシステムでは見えないアンミラード(unmirrored)オブジェクトであるかどうかを判定し、一つ以上のオブジェクトのうちの少なくとも一つがアンミラードオブジェクトであるならば、ネットワークエレメントによって、そのネットワークエレメントと関連づけられたさらなるオブジェクトのＰＭデータと共に少なくとも一つのアンミラードオブジェクトのＰＭデータを蓄積し、ネットワークエレメントによって、蓄積されたＰＭデータをＯＡＭシステムに提供する。
【００１２】
ネットワークエレメントと関連づけられた一つ以上のオブジェクトはそれぞれ、ネットワークエレメントの中の資源の表現とみなすことができる。一つ以上のオブジェクトは各々、それぞれの資源（単数又は複数）を監視し、管理するためにそれぞれ一つ以上のインタフェースを提供することができる。資源は例えば機能またはハードウェアモジュールであり得る。
【００１３】
そのオブジェクトの正確な具現化とは無関係に、そのオブジェクトは例えば、３ＧＰＰ  ＴＳ３２．７６２において記述されるような３ＧＰＰオブジェクトモデルに従うオブジェクトであってよい。
【００１４】
ネットワークエレメントはワイヤレスネットワークの中のどのような種類の論理エンティティであってもよい。用語ネットワークエレメントはまた、（遠隔）通信サービスの規定において使用された施設または機器としても把握されてもよい。そのような用語は、そのような施設または機器によって提供され、例えば伝送、ルーティング、または（遠隔）通信サービスの他の規定において用いられる機構、機能および能力を含んでもよい。例えば、ワイヤレスネットワークは、物理層で、複数の相互接続されたネットワークエレメントを含むことができる。
【００１５】
このネットワークエレメントはネットワークノードと呼ばれることもある。例えば、ネットワークエレメントは、ネットワークに取り付けられ、通信チャネル上で情報を送信し、受信し、又は転送することができる能動的電子デバイスである物理ネットワークノードであってよい。二三の例を挙げると、それに限られないが、ネットワークエレメントは、広帯域符号分割多重接続（ＷＣＤＭＡ（登録商標））システムでの無線基地局または無線ネットワークコントローラ（ＲＮＣ）、または、移動通信のためのグローバルシステム（ＧＳＭ（登録商標））での基地局コントローラ（ＢＳＣ）を含むか、またはそれらとして構成できる。ＬＴＥでは、ネットワークエレメントはｅＮｏｄｅＢ（略してｅＮＢ）を含むか、またはｅＮｏｄｅＢとして構成できる。
【００１６】
上述したように、アンミラードオブジェクトは、ＯＡＭシステムでは見えないオブジェクトとして把握できる。アンミラードオブジェクトは、同様に、ＯＡＭシステムによって監視できない（すなわち監視され得ない）オブジェクトとして把握できる。例えば、ＯＡＭシステムは、アンミラードオブジェクトを監視することができないか、又は監視する能力がないことがある。結果として、アンミラードオブジェクトは、従来の方法でＰＭデータをＯＡＭシステムに報告することができない。むしろ、アンミラードオブジェクトと関連づけられたネットワークエレメントが、アンミラードオブジェクトに関係したＰＭデータを有することがある。例えば、アンミラードオブジェクトと関連づけられたネットワークエレメントは、アンミラードオブジェクトに関係したＰＭデータを記憶するためのストレージ装置またはメモリ装置を有することができる。
【００１７】
ＰＭ測定は、セルレベルに統合された測定として理解することができる。ＰＭ測定は、ドライブテスト最小化（ＭＤＴ）データの場合のような個々のＵＥレベルの性能の代わりに、全体のセルレベル性能を示すために使用することができる。この文脈において、例えばＥ−ＵＴＲＡＮ  ＰＭ測定に関するＴＳ３２．４２５と、ＵＴＲＡＮ測定に関するＴＳ３２．４０５と、ＰＭ測定のための全体の概念及び要件に関するＴＳ３２．４０１とが参照される。
【００１８】
ＰＭデータはオブジェクトまたはネットワークエレメントに関係したどのような種類の性能測定データであってよい。性能測定データはオブジェクトまたはネットワークエレメントに関係したイベント及び統計の少なくとも一つを含んでよい。イベントおよび統計またはそのいずれかは、カウンタ等を用いて記録できる。導出されたカウンター値はそのとき、ＰＭ測定データとして定期的にまたは不定期に（例えばＯＡＭシステムの要求時に）ＯＡＭシステムに報告されるか、または送信されてよい。これらのカウンタのいくつかがセル単位またはＣＲ単位であってよい。ＰＭ測定は、接続設定の成功率、ハンドオーバー、無線ベアラ設定、または平均セルスループット、利用率などについての統計を含んでよい。３ＧＰＰ  ＴＳ３２．４０１によると、ＰＭ測定結果データは、多くの方法でネットワークの各ネットワークエレメントにおいて収集できる：測定されたイベントの発生によって引き起こされた累積増分カウンタ、ステータス検査（すなわち事前定義済みレートでの内部カウンタの高頻度サンプリングのためのメカニズム）、測定基準（すなわち満潮マーク、干潮マーク）、特定のイベントに関係したデータが捕捉される離散的イベント登録。
【００１９】
少なくとも一つのアンミラードオブジェクト、及び、オプションで更なるアンミラードオブジェクトのためのＰＭデータは、第一の態様による方法に関して上述したように、少なくとも一つのアンミラードオブジェクト、及び、オプションでさらなるアンミラードオブジェクトと関連づけられたネットワークエレメントに知られていてよく、例えば前記ＰＭデータはネットワークエレメントのストレージ装置またはメモリ装置の中に記憶されてよい。
【００２０】
二三の例を挙げると、それに限定されることはないが、オブジェクトは隣接セル（ＮＣ）についての情報を含むか、又はその情報として構成されてよい。隣接セルは異なる周波数およびＲＡＴまたはそのいずれかを使用できる。代わりにまたは追加で、一つのセルのＮＣ各々への隣接セル関係（ＣＲ）は、一つのオブジェクト、またはオブジェクトの一部であるとみなすことができる。一般に、各セルは他の隣接セルへのいくつかのＣＲを持っている。ネットワークエレメントは、ネットワークエレメント自身に関連付けられた、またはネットワークエレメント自身によってコントロールされたセルの表現だけでなく、他のネットワークエレメントによってコントロールされるセルとみなすことができる外部セル（ＥＣｓ）の表現を保持できる。セルがＥＣへのＣＲを持っている場合、そのＥＣはＮＣと称されてもよい。結果として、ＥＣの少なくともいくつかがＮＣでもあり得る。例えば、ＬＴＥにおいて、ＥＣは、ｅＮＢにおけるすべてのセルに共通するオブジェクトである。ＥＣはｅＮＢに「属している」。ＥＣへのＣＲがある場合、そのＥＣはセルのＮＣになる。
【００２１】
例えば、選択されたＥＣとＣＲは、ＯＡＭシステムにおいて、またはＯＡＭシステムに知られておらず、移動通信ネットワークのネットワークエレメント（ＮＥ）においてだけ、またはＮＥにだけ知られていることがあり、それによりＯＡＭシステム上の負荷が減る。ＯＡＭシステムにおいて、またはＯＡＭシステムに知られておらず、ＮＥにおいてだけ、またはＮＥにだけ知られているそのようなＥＣとＣＲは、アンミラードＥＣ及びアンミラードＣＲと称されることがある。代わりに、ＯＡＭデータ伝送およびストレージの容量決めを可能にするために、一つのセルあたりの許容された隣接セル関係の数は制限されてもよい。
【００２２】
第一の態様に応じた方法の第一の可能な実施によると、さらなるオブジェクトはネットワークエレメントと関連づけられたアンミラードオブジェクトであってよい。さらなるアンミラードオブジェクトは少なくとも一つのアンミラードオブジェクトと同じオブジェクトクラスに属してもよい。この第一の可能な実施に従って、蓄積するステップは、さらなるアンミラードオブジェクトのＰＭデータと共に、少なくとも一つのアンミラードオブジェクトのＰＭデータを蓄積することを含んでよい。このように、二つ以上のアンミラードオブジェクトのＰＭデータが蓄積され得る。二つ以上のアンミラードオブジェクトは同じオブジェクトクラスに属してもよい。ふたつ以上のアンミラードオブジェクトのためのＰＭデータは、ネットワークエレメントに知られていてよく、例えば、ネットワークエレメントのストレージ装置またはメモリ装置に記憶されてよい。
【００２３】
例えば、蓄積するステップが、同じオブジェクトクラスに属しているすべてのアンミラードオブジェクトのＰＭデータを蓄積することを含んでもよいことが考えられる。異なるオブジェクトクラスに属しているすべてのアンミラードオブジェクトのＰＭデータは例えば、別々に蓄積されてもよい。全てのアンミラードオブジェクトのためのＰＭデータは、ネットワークエレメントに知られていてよく、例えば、ネットワークエレメントのストレージ装置またはメモリ装置に記憶されてよい。
【００２４】
例えば、蓄積するステップが、オプションで同じオブジェクトクラスに属している、監視対象のすべてのアンミラードオブジェクトのＰＭデータを蓄積することを含んでもよいことが考えられる。ＯＡＭシステムは、どのアンミラードオブジェクトが監視対象であるかをネットワークエレメントに指示してもよい。結果として、オプションでどれが同じオブジェクトクラスに属する、監視対象のすべてのアンミラードオブジェクトのために、ネットワークエレメントはそれぞれのＰＭデータを蓄積してもよい。前記アンミラードオブジェクトのためのＰＭデータは、ネットワークエレメントに知られていてもよく、例えば、ネットワークエレメントのストレージ装置またはメモリ装置に記憶されてもよい。
【００２５】
オブジェクトはオブジェクトクラスのインスタンスであってもよい。オブジェクトクラスによって、オブジェクトプロパティ、使用可能なインタフェースなどが定義されてよい。
【００２６】
第一の態様に応じた方法の第一のバリエーションによると、蓄積するステップは、例えばオブジェクトクラスごとに、新たに作成されたオブジェクトの上にＰＭデータを蓄積することを含んでもよい。提供するステップは、新たに作成されたオブジェクトの上に蓄積されたＰＭデータをＯＡＭシステムに報告することを含んでもよい。
【００２７】
蓄積するステップは、同じ新たに作成されたオブジェクトの上に、同じオブジェクトクラスに関係しているアンミラードオブジェクトのＰＭデータを蓄積することを含んでもよい。代わりにまたは追加で、蓄積するステップは、異なる新たに作成されたオブジェクトの上に異なるオブジェクトクラスのＰＭデータを蓄積することを含んでもよい。このように、第一のオブジェクトクラスに関係しているアンミラードオブジェクトのＰＭデータは、第一の新たに作成されたオブジェクトの上に蓄積されてもよい。さらに、第二のオブジェクトクラスに関係しているアンミラードオブジェクトのＰＭデータは、第二の新たに作成されたオブジェクトの上に蓄積されてもよい。例えば、複数のオブジェクトクラスに関係しているアンミラードオブジェクトのＰＭデータは、複数の新たに作成されたオブジェクトのそれぞれの上に蓄積されてもよい。
【００２８】
第一の態様に応じた方法の第二のバリエーションによると、蓄積するステップは、オブジェクトクラスごとに、少なくとも一つのアンミラードオブジェクトの親オブジェクトの上にＰＭデータを蓄積することを含んでもよい。提供するステップは、親オブジェクトの上に蓄積されたＰＭデータをＯＡＭシステムに報告することを含んでもよい。親オブジェクトは少なくとも一つのアンミラードオブジェクトの直接的な親であってもよい。親オブジェクトが間接的な親、すなわち、少なくとも一つのアンミラードオブジェクトの直接的な親のまた親の一つであってもよいことも考えられる。
【００２９】
例えば、蓄積するステップが、同じ親オブジェクトに属しているすべてのアンミラードオブジェクトのＰＭデータを蓄積することを含んでもよいことが考えられる。異なる親オブジェクトに属しているすべてのアンミラードオブジェクトのＰＭデータは例えば、別々に蓄積されてもよい。全てのアンミラードオブジェクトのためのＰＭデータは、ネットワークエレメントに知られていてよく、例えば、ネットワークエレメントのストレージ装置またはメモリ装置に記憶されてよい。
【００３０】
少なくとも一つのアンミラードオブジェクトは、ネットワークエレメントの隣接ネットワークエレメントについての情報を提供している隣接セルオブジェクトと、ネットワークエレメントと隣接ネットワークエレメントとの間の関係についての情報を提供している隣接セル関係オブジェクトとのうちの少なくとも一つを含むか、または前記隣接セルオブジェクトと前記隣接セル関係オブジェクトとのうちの少なくとも一つとして構成されてもよい。
【００３１】
３ＧＰＰオブジェクトモデルの具現化の場合、隣接セルオブジェクトは、ＥｘｔｅｒｎａｌＥＵｔｒａｎＧｅｎｅｒｉｃＣｅｌｌオブジェクトとして設定されてよく、隣接セル関係オブジェクトは、ＥＵｔｒａｎＲｅｌａｔｉｏｎオブジェクトとして設定されてよい。ＥＵｔｒａｎＲｅｌａｔｉｏｎオブジェクトである少なくとも一つのアンミラードオブジェクトの場合、ＰＭデータが蓄積され得る親オブジェクトは、ＥＵｔｒａｎＧｅｎｅｒｉｃＣｅｌｌオブジェクト（直接的な親）またはＥＮＢＦｕＮＣｔｉｏｎオブジェクト（間接的な親）として構成されてよく、後者はＥＵｔｒａｎＧｅｎｅｒｉｃＣｅｌｌの親である。
【００３２】
第一の態様に応じた方法の第二の可能な実施（それは第一の態様に応じた方法の第一の可能な実施と組み合わせて、またはそれとは無関係に実現することができる）によると、方法は、ネットワークエレメントによって、一つ以上のオブジェクトのうちの少なくとも一つが、ＯＡＭシステムでは見えているミラード（ｍｉｒｒｏｒｅｄ）オブジェクトであるかどうかを決定するステップをさらに含んでよい。ミラードオブジェクトは、ＯＡＭシステムでは見えているオブジェクトとして把握できる。ミラードオブジェクトはまた、ＯＡＭシステムによって監視できる（すなわち監視され得る）オブジェクトとして把握できる。例えば、アンミラードオブジェクトがＰＭデータをＯＡＭシステムに報告できるように、ＯＡＭシステムは、アンミラードオブジェクトを監視できないか、またはその能力がないかもしれないが、ミラードオブジェクトがＰＭデータをＯＡＭシステムに報告できるように、ＯＡＭシステムは、ミラードオブジェクトを監視できるか、またはその能力があってよい。ＰＭデータの別々の報告の代わりに、この方法は、一つ以上のオブジェクトのうち少なくとも一つがミラードオブジェクトであるなら、少なくとも一つのアンミラードオブジェクトのＰＭデータと共に少なくとも一つのミラードオブジェクトのＰＭデータを蓄積することをさらに含んでよい。
【００３３】
提供するステップは、アンミラードオブジェクトと、更なるオブジェクトのためのＰＭデータが蓄積されるその更なるオブジェクトとのうちの少なくとも一つのＩＤ又はＩＤ（複数）についての情報を報告することをさらに含んでもよい。ＩＤ又はＩＤ（複数）についての情報は、対応するオブジェクト（単数または複数）のＰＭデータとともに蓄積されてもよい。ＩＤ（単数又は複数）についての情報は、代わりに、親オブジェクトについての情報である属性としてＯＡＭシステムで使用可能にされてもよい。親オブジェクトは直接的または間接的親オブジェクトであってよい。
【００３４】
第二の態様によれば、運用及び保守（ＯＡＭ）システムへの性能管理（ＰＭ）データを提供するためのワイヤレスネットワークのネットワークエレメントが提供される。そのネットワークエレメントはＯＡＭシステムに接続される。ＰＭデータは、ネットワークエレメントと関連づけられた一つ以上のオブジェクトに関係している。ネットワークエレメントは、判定コンポーネント、蓄積コンポーネント、および送信コンポーネントを含む。判定コンポーネントは、一つ以上のオブジェクトのうちの少なくとも一つが、ＯＡＭシステムでは見えないアンミラードオブジェクトであるかどうかを判定するよう構成される。蓄積コンポーネントは、もし一つ以上のオブジェクトのうちの少なくとも一つがアンミラードオブジェクトであるならば、ネットワークエレメントと関連づけられた更なるオブジェクトのＰＭデータと共に少なくとも一つのアンミラードオブジェクトのＰＭデータを蓄積するよう構成される。送信コンポーネントは、蓄積されたＰＭデータをＯＡＭシステムに提供するよう構成される。
【００３５】
蓄積コンポーネントは、同じオブジェクトクラスに属しているすべてのアンミラードオブジェクトのＰＭデータを蓄積するか、又は、同じ親オブジェクトに属しているすべてのアンミラードオブジェクトのＰＭデータを蓄積するか、又はそれらの両方を行うようにさらに構成されてもよい。
【００３６】
判定コンポーネントは、一つ以上のオブジェクトの少なくとも一つが、ミラードオブジェクトのためにＰＭデータをＯＡＭシステムによって監視可能な、そのミラードオブジェクトであるかどうかを判定するよう構成されてもよい。蓄積コンポーネントは、一つ以上のオブジェクトのうち少なくとも一つがミラードオブジェクトであるなら、少なくとも一つのアンミラードオブジェクトのＰＭデータと共に前記少なくとも一つのミラードオブジェクトのＰＭデータを蓄積するようさらに構成されていてもよい。
【００３７】
ネットワークエレメントは、無線基地局、無線ネットワークコントローラ（ＲＮＣ）、または基地局コントローラ（ＢＳＣ）を含むか、又は、無線基地局、無線ネットワークコントローラ（ＲＮＣ）、または基地局コントローラ（ＢＳＣ）として構成されてもよい。無線基地局はｅＮｏｄｅＢ（略してｅＮＢ）であってよい。
【００３８】
ここでは明示的に説明されないけれども、ネットワークエレメントは、第一の態様に従う方法に関してここに説明されるような方法の態様のいずれか一つを実行するよう構成することができる。この目的のために、ネットワークエレメントは、前記方法の態様を実行するために適当なコンポーネントまたはユニットを有していて良い。
【００３９】
第三の態様によれば、無線通信システムが提供される。無線通信システムは、ここに説明されるようなネットワークエレメントと、
ネットワークエレメントによって提供されたＰＭデータを要求し、保守するよう構成された運用及び保守（ＯＡＭ）システムとを含む。
【００４０】
第四の態様によると、コンピュータプログラムが提供され、そのコンピュータプログラムは、そのコンピュータプログラムが一つ以上のコンピューティングデバイスの上で実行されるときにここに説明された方法の態様のいずれか一つのステップを実行するためのプログラムコード部を含む。このコンピュータプログラムはコンピュータの読取り可能の記録媒体の上に記憶されてもよい。
【図面の簡単な説明】
【００４１】
以下において、本明細書は、図で説明された模範的な実施形態を参照してさらに説明されるであろう。
【図１】ワイヤレスネットワークの一般的アーキテクチャの概略図である。
【図２】ＯＡＭシステムのアーキテクチャの概略図である。
【図３】３ＧＰＰオブジェクトモデルの一部の概略図である。
【図４】ミラードオブジェクト及びアンミラードオブジェクトを示す３ＧＰＰオブジェクトモデルの一部の概略図である。
【図５】ミラードオブジェクト及び新しく作成されたＰＭオブジェクトを示す３ＧＰＰオブジェクトモデルの一部の概略図である。
【図６】実施形態に従うネットワークエレメントの一般的アーキテクチャの概略図である。
【図７】第一の方法の実施形態のフローチャートの概略図である。
【図８】第二の方法の実施形態のフローチャートの概略図である。
【発明を実施するための形態】
【００４２】
説明の目的のため、限定されることなしに、以下の説明において、本明細書についての完全な理解を提供するために、特定のネットワークノードを含む具体的なネットワークトポロジなど、具体的な詳細が記述される。本開示が、これらの具体的な詳細を逸脱する他の実施形態において実施されてもよいことは当業者には明白であろう。例えば、当業者は、本開示が、本発明を説明するために以下で検討された長期発展（ＬＴＥ）標準とは異なる移動通信システムの中で行われてもよいことを理解するであろう。また、本開示は、移動または固定ユーザが属することができるどのようなネットワークにおいても行われ得る。すなわちＬＴＥは、範例となる無線アクセス技術として使われるであろう。しかし、実施形態はその上、本質的に他の無線アクセス技術に等しく適用可能である。さらに、本開示は具体的な３ＧＰＰオブジェクトモデルを参照して以下で説明されるけれども、この開示は他の、又は未来のオブジェクトモデルに等しく適用可能である。
【００４３】
当業者は、以下に説明された機能が、個々のハードウェア回路を用い、プログラムされたマイクロプロセッサまたは汎用コンピュータと連携して機能しているソフトウェアを用い、特定用途向け集積回路（ＡＳＩＣ）を用い、および、一つ以上の信号処理プロセッサ（ＤＳＰ）を使いて、または、これらの少なくとも何れかを用いて実装されてもよいことも理解するであろう。本開示が方法として説明されている場合、それはまた、コンピュータープロセッサとプロセッサに結合したメモリとに具現化されてもよく、ここでそのメモリは、プロセッサによって実行されたときに、ここに開示した方法を実行するための一つ以上のプログラムがエンコードされていることもまた理解されるであろう。さらに、本開示が方法として説明されている場合、その方法の態様を実行するよう構成された適当なユニットまたはコンポーネントに具現化されてもよい。
【００４４】
第３世代パートナーシップ計画（３ＧＰＰ）はまだ、ＬＴＥ（長期発展）とも呼ばれるＥ−ＵＴＲＡＮ無線アクセスシステムの標準化の作業をしている。ＬＴＥは発展型パケット通信（Ｅｖｏｌｖｅｄ  Ｐａｃｋｅｔ  Ｓｙｓｔｅｍ：ＥＰＳ）の一部であり、発展型パケットコア（Ｅｖｏｌｖｅｄ  Ｐａｃｋｅｔ  Ｃｏｒｅ：ＥＰＣ）も構成している。ＥＰＳのアーキテクチャは図１において概略的に示される。図１において示されたＥＰＳは、ＬＴＥにおいてはｅＮｏｄｅＢｓまたはｅＮＢｓ１０、１２、１４（この後では区別なく用いられるであろう）と、ＥＰＣノード１６、１８と通常呼ばれる無線アクセスノードをネットワークエレメントとして含む。図１において示された模範的なアーキテクチャにおいては、ＥＰＣノード１６、１８は、モビリティ管理実体（ＭＭＥ）またはサービングゲートウェイ（Ｓ−ＧＷ）として構成することができる。ＭＭＥはＬＴＥのアクセスネットワークのための制御ノードである。Ｓ−ＧＷは、ｅＮｏｄｅＢ間ハンドオーバー中はユーザプレーンのためのモビリティアンカーとして、かつ、ＬＴＥと他の３ＧＰＰ技術との間の移動性のためのアンカーとしても動作する一方、ユーザデータパケットの経路を決め、また転送する。以下において、ＥＰＣノード１６、１８は、ＭＭＥ１６、１８と称されるであろう。ｅＮＢｓ１０、１２、１４の間のインタフェースはＸ２と称され、ｅＮＢｓ１０、１４とＭＭＥ１６との間のインタフェースおよびｅＮＢｓ１２、１４とＭＭＥ１８との間のインタフェースはＳ１と表示される。Ｘ２及びＳ１の上のシグナリング転送は、例えば３ＧＰＰ  ＴＳ３６．４１２、３ＧＰＰ  ＴＳ３６．４２２、およびＲＦＣ４９６０に記述されたストリーム制御伝送プロトコル（ＳＣＴＰ）経由で実施される。
【００４５】
図２は、ＮＢｓ１０、１２の管理に関するいくつかの更なる詳細を例示的に示す。一般化としてネットワークエレメント（ＮＥｓ）とも称されるｄｅＢｓ  １０、１２に加えて、ネットワークドメインマネージャ（ＮＭ）２０および二つのドメインマネージャ（ＤＭ）２２、２４が図式的に示される。無線アクセスネットワーク内のＮＥ、すなわち図２の例におけるｅＮｏｄｅＢｓ１０、１２は、ＤＭすなわちＤＭ２２の一つによって管理される。ＤＭ２２、２４はまた運用及び支援システム（ＯＳＳ）と称されてもよい。図２においてさらに例示的に示されているように、ＤＭ２２、２４はまたＮＭ２０によって管理されてもよい。ＤＭ２２、２４とＮＭ２０との間のインタフェースはＩｔｆ−Ｎと称され、ＤＭ２２、２４の間のインタフェースはＩｔｆ−Ｐ２Ｐと称される。管理システムは、例えばＤＭ２２、２４によって、またオプションとしてＮＭ２０によっても成形されるように、ｅＮｏｄｅＢｓ１０、１２のようなネットワークエレメントを設定するほか、ｅＮｏｄｅＢｓ１０、１２のようなネットワークエレメントにおける機能に関連付けられた監視結果を受信してもよい。例えば、ＤＭ２２は、ＮＥの例としてｅＮｏｄｅＢｓ１０、１２を監視し、設定し、一方、ＮＭ２０は、ＤＭ２２を介して（ＤＭ２２を介して、またはＤＭ２４とＤＭ２２とを介して）ＮＥｓの例としてｅＮｏｄｅＢｓ１０、１２のほか、ＤＭ２２、２４を監視し、設定する。ＰＭ測定は、ＮＥ、例えばｅＮＢｓ１０、１２によって生み出され、ＤＭ（単数または複数）２２、２４によって収集されて、オプションで、標準化されたＩｔｆ−Ｎインタフェース経由でＮＭ２０に転送される。
【００４６】
ＮＭ２０は、ＤＭ２２、２４と共に、例として、運用及び保守（ＯＡＭ）システムの単純なアーキテクチャを成形する。
【００４７】
図３は、Ｉｔｆ−Ｎの上で通信するときに、すなわちＤＭ２２、２４とＮＭ２０との間で使われる従来のいわゆるオブジェクトモデルの一部を示している。オブジェクトモデルのオブジェクトはＮＥ、例えばｅＮＢｓ１０、１２から報告している性能管理（ＰＭ）データのためのベースとして使われる。ネットワークの中の隣接セル関係（ＣＲ）と外部セル（ＥＣ）の完全なイメージ（ｐｉｃｔｕｒｅ）を得るために、すべてのＣＲとＥＣとはＯＡＭシステムにおいてコピーされ保存される（ｍｉｒｒｏｒｅｄ）。セルがＥＣへのＣＲを持っている場合、ＥＣはまた隣接セル（ＮＣ）とも称されてよい。例えば、ＬＴＥにおいて、ＥＣは、ｅＮＢにおけるすべてのセルに共通のオブジェクトである。ＥＣはｅＮＢに「属している」。ＥＣへのＣＲがある場合、そのＥＣはそのセルのＮＣになる。
【００４８】
図３において示された従来のオブジェクトモデルにおいて、ＣＲはＥＵｔｒａｎＲｅｌａｔｉｏｎオブジェクト３４によって定義されて、ＥＣはＥｘｔｅｒｎａｌＥＵｔｒａｎＧｅｎｅｒｉｃＣｅｌｌオブジェクト４２によって定義される。ＮＥにおける性能データと構成の変化でＯＡＭシステム、例えばＮＭ２０又は一つ以上のＤＭ２２、２４又はＮＭ２０と一つ以上のＤＭ２２、２４との両方をアップデートするために、ＯＡＭシステムは選択されたＰＭカウンタインスタンスに対し、また選択されたオブジェクトの上の選択された属性の最新情報に対して申し込むことができる。例えば、マネジメントシステム（ＯＡＭシステム）は、ＥｘｔｅｒｎａｌＥＵｔｒａｎＧｅｎｅｒｉｃＣｅｌｌオブジェクト４２及びＥＵｔｒａｎＲｅｌａｔｉｏｎオブジェクト３４の最新情報に対して申し込むことができる。ＯＡＭシステムが申し込んだオブジェクト、すなわちＯＡＭシステムが「見ている」一つ以上のオブジェクトに変化がある場合にはいつでも、またはＯＡＭシステムが申し込んだ一つ以上のオブジェクトが使われる場合にはいつでも、ＰＭデータはそれぞれのオブジェクトと関連づけられたネットワークエレメントからＯＡＭシステムに送られる。例えば、二つのネットワークエレメント、ＥＵｔｒａｎＧｅｎｅｒｉｃＣｅｌｌオブジェクト３２によって表されている第一のネットワークエレメントのセルと、ＥｘｔｅｒｎａｌＥＵｔｒａｎＧｅｎｅｒｉｃＣｅｌｌオブジェクト４２によって表されている第二のネットワークエレメントのセルとの間でハンドオーバーがあれば（第一のネットワークエレメントの視点または展望において、第二のネットワークエレメントのセルはＥＣであり、従って、第一のネットワークエレメントの視点において、第一のネットワークエレメントのセルはＥＵｔｒａｎＧｅｎｅｒｉｃＣｅｌｌオブジェクト３２によって表され、第二のネットワークエレメントのセルはＥｘｔｅｒｎａｌＥＵｔｒａｎＧｅｎｅｒｉｃＣｅｌｌオブジェクト４２によって表される。）、ＥＵｔｒａｎＲｅｌａｔｉｏｎオブジェクト３４が使用されて、関連づけられたＰＭデータはＯＡＭシステムに送信される。
【００４９】
さて、図３のオブジェクトモデルの使用は、図１の概略アーキテクチャを参照して説明されるであろう。以下において、ｅＮＢ１０の視点において、ＥＵｔｒａｎＧｅｎｅｒｉｃＣｅｌｌオブジェクト３２がｅＮＢ１０によって提供されたセルと関連づけられて、ＥｘｔｅｒｎａｌＥＵｔｒａｎＧｅｎｅｒｉｃＣｅｌｌオブジェクト４２がｅＮＢ１２によって提供されたセルと関連づけられて、さらなるＥｘｔｅｒｎａｌＥＵｔｒａｎＧｅｎｅｒｉｃＣｅｌｌオブジェクト（不図示）がｅＮＢ１４によって提供されたセルと関連づけられると仮定される。さらに、移動局（ＬＴＥにおいて移動局は通常ユーザ機器（ＵＥ）と称されるので、以下では用語ＵＥが説明を通して用いられるであろう。）が、ｅＮＢ１０によって提供されたセルに置かれる、すなわちｅＮＢ１０はサービングｅＮＢ１０であると仮定する。ＵＥがｅＮＢ１２によって提供されたセルに入るならば、ｅＮＢ１０からｅＮＢ１２へのハンドオーバーが開始されて、このハンドオーバーの結果として、ｅＮＢ１２はＵＥの新しいサービングｅＮＢになる。ｅＮＢ１０からｅＮＢ１２へのこのハンドオーバーによって、ＥＵｔｒａｎＲｅｌａｔｉｏｎオブジェクト３４が使用され（例えば、カウンタが進められるところまで変更される）、従って、ＥＵｔｒａｎＲｅｌａｔｉｏｎオブジェクト３４に関係したＰＭデータがＯＡＭシステムに転送される。
【００５０】
さらにまた、更なるＵＥがｅＮＢ１０によって提供されたセルからＮＢ１４によって提供されたセルの中に移動するならば、ｅＮＢ１０からｅＮＢ１４へのハンドオーバーが開始されて、このハンドオーバーの結果として、ｅＮＢ１４はこの更なるＵＥの新しいサービングｅＮＢになる。ｅＮＢ１０からｅＮＢ１４へのこのハンドオーバーによって、さらなるＥＵｔｒａｎＲｅｌａｔｉｏｎオブジェクト（不図示）が使用されて、従って、さらなるＥＵｔｒａｎＲｅｌａｔｉｏｎオブジェクト（不図示）に関係したＰＭデータがＯＡＭシステムに送信される。
【００５１】
一般に、複数のＵＥはずっとセルの間で動き回り、従って、ハンドオーバーはかなり頻繁に起こる。これらのハンドオーバーの各々のために、それぞれのｅＮＢ（単数又は複数）に記憶されたＥＵｔｒａｎＲｅｌａｔｉｏｎオブジェクトの一つに関係したＰＭデータがＯＡＭシステムに送信される。
【００５２】
高度に高密度化された移動通信ネットワークの場合、この高密度化は、これらのネットワークの中のセルが非常に多くのＮＣとＣＲを得ることをもたらす。すなわち各セルは他の隣接セルとのいくつかの隣接関係を持っている。ネットワークは、各セルが複数のＥＣを有し、膨大な量のＣＲを結果として生じる非常に大量のセルを含むことがあり得る。結果として、図２の管理アーキテクチャにおいて図３のオブジェクトモデルを使う場合に、これは膨大な量のＰＭデータシグナリングをもたらすことがある。
【００５３】
ＯＡＭシステムに非常に大量のＰＭデータをシングナリングし、かつ記憶するという問題点に対処するために、ＯＡＭシステムがすべてのオブジェクトを監視するわけではないことがここで考慮される。例えば、ＥＣまたはＣＲオブジェクトのどちらかがＯＡＭシステムには見え、それぞれのオブジェクトはそのときＯＡＭシステムによって完全に監視することができるか、さもなければＥＣ及びＣＲオブジェクトはＯＡＭシステムには見えず、そのときは監視できない。この解決策によって、アンミラードオブジェクト（すなわち、ＯＡＭシステムでは見えない（可視でない）オブジェクト）を監視することはできない。この状況の例は図４において示される。図４は、ＥＣを参照する一つのミラードＣＲを持っている一つのミラードＥＣと、対応するＥＣ（破線で示される）を参照する一つのアンミラードＣＲをそれぞれ持っている三つのアンミラードＥＣ（破線で示される）とを例として示している。図４のオブジェクトモデルに関して言えば、ＣＲとして一つのミラードＥＵｔｒａｎＲｅｌａｔｉｏｎオブジェクト３４０と、ＥＣとして一つのミラードＥｘｔｅｒｎａｌＥＵｔｒａｎＧｅｎｅｒｉｃＣｅｌｌオブジェクト４２０が提供される。この図はまた、アンミラードＣＲ（ＥＵｔｒａｎＲｅｌａｔｉｏｎオブジェクト３４０ａから３４０ｃ）を持っているアンミラードＥＣのグループ（アンミラードＥｘｔｅｒｎａｌＥＵｔｒａｎＧｅｎｅｒｉｃＣｅｌｌオブジェクト４２０ａから４２０ｃ）を示す。ＥＵｔｒａｎＲｅｌａｔｉｏｎオブジェクト３４０が、ＰＭデータを取得するためにＯＡＭシステムによって監視され得る間、ＯＡＭシステムは、アンミラードＥＵｔｒａｎＲｅｌａｔｉｏｎオブジェクト３４０ａから３４０ｃまでを監視することができない、すなわちＯＡＭシステムは、アンミラードＥＵｔｒａｎＲｅｌａｔｉｏｎオブジェクト３４０ａから３４０ｃまでと関連づけられたＰＭデータを取得することができない。
【００５４】
以下では、図４のオブジェクトモデルの使用が、図１の概略アーキテクチャを参照して説明されるであろう。以下において、ｅＮＢ１０の視点において、ＥＵｔｒａｎＧｅｎｅｒｉｃＣｅｌｌオブジェクト３２０がｅＮＢ１０によって提供されたセルと関連づけられて、ＥｘｔｅｒｎａｌＥＵｔｒａｎＧｅｎｅｒｉｃＣｅｌｌオブジェクト４２０がｅＮＢ１２によって提供されたセルと関連づけられて、さらなるＥｘｔｅｒｎａｌＥＵｔｒａｎＧｅｎｅｒｉｃＣｅｌｌオブジェクト４２０ａがｅＮＢ１４によって提供されたセルと関連づけられると仮定される。ＥｘｔｅｒｎａｌＥＵｔｒａｎＧｅｎｅｒｉｃＣｅｌｌオブジェクト４２０、さらにＥＵｔｒａｎＲｅｌａｔｉｏｎ３４０（すなわちｅＮＢ１０からｅＮＢ１２への関係）は、ミラードオブジェクトであり、すなわちそれらは、ＯＡＭシステムでは見える（ＯＡＭシステムは、前記オブジェクトを監視することができる）。それどころか、ＥｘｔｅｒｎａｌＥＵｔｒａｎＧｅｎｅｒｉｃＣｅｌｌオブジェクト４２０ａ、さらにＥＵｔｒａｎＲｅｌａｔｉｏｎオブジェクト３４０ａ（すなわちｅＮＢ１０からｅＮＢ１４への関係）は、アンミラードオブジェクトであり、すなわちそれらは、ＯＡＭシステムでは見えない（ＯＡＭシステムは前記オブジェクトを監視することができない）。
【００５５】
さらに、ＵＥがｅＮＢ１０により提供されたセル内に置かれている、すなわちｅＮＢ１０がサービングｅＮＢ１０であるとする。ＵＥがｅＮＢ１２によって提供されたセルに入るならば、ｅＮＢ１０からｅＮＢ１２へのハンドオーバーが開始されて、このハンドオーバーの結果として、ｅＮＢ１２はＵＥの新しいサービングｅＮＢになる。ｅＮＢ１０からｅＮＢ１２へのこのハンドオーバーによって、ＥＵｔｒａｎＲｅｌａｔｉｏｎオブジェクト３４０が使用されて、従って、ＥＵｔｒａｎＲｅｌａｔｉｏｎオブジェクト３４０に関係したＰＭデータがＯＡＭシステムに送信される。
【００５６】
さらにまた、更なるＵＥがｅＮＢ１０によって提供されたセルからＮＢ１４によって提供されたセルの中に移動するならば、ｅＮＢ１０からｅＮＢ１４へのハンドオーバーが開始されて、このハンドオーバーの結果として、ｅＮＢ１４はこの更なるＵＥの新しいサービングｅＮＢになる。このｅＮＢ１０からｅＮＢ１４へのハンドオーバーによって、更なるＥＵｔｒａｎＲｅｌａｔｉｏｎオブジェクト４２０ａが使用される。しかしながら、ＥＵｔｒａｎＲｅｌａｔｉｏｎオブジェクト４２０ａはアンミラードオブジェクトであるため、ＥＵｔｒａｎＲｅｌａｔｉｏｎオブジェクト４２０ａに関係したＰＭデータはＯＡＭシステムに送信されない。
【００５７】
このように、ＯＡＭシステムにシグナリングしているＰＭデータの量、およびＯＡＭシステムの中の記憶容量またはその両方は減らされる。一方、ＯＡＭシステムは、ＥＵｔｒａｎＲｅｌａｔｉｏｎオブジェクト３４０ａおよびＥｘｔｅｒｎａｌＥＵｔｒａｎＧｅｎｅｒｉｃＣｅｌｌオブジェクト４２０ａのようなアンミラードオブジェクトについていかなるＰＭデータも受信しない。
【００５８】
一定の状況の下で、アンミラードオブジェクトのためにも、性能の表示を取得することはネットワークの事業者とって興味深いかもしれない。一つの理由は、オブジェクトが時間とともにより重要になり、ミラードオブジェクトのセットの中に含まれるべきということであり得る。３ＧＰＰ  ＴＳ３６．３００において説明されるように、これは自動近隣関係（ＡＮＲ）のような機能の導入によってよりいっそう重要になる可能性がある。ＡＮＲは、自動的に新しいＥＣとＣＲとを追加するネットワーク中の機能である。これらがそのときアンミラードとして分類されるならば、ＯＡＭシステムは新しいオブジェクトについての知識を全然持っておらず、ネットワークエレメントからどのようなＰＭデータも取り寄せることができない。
【００５９】
この問題点に対処するために、ＯＡＭシステムに従来は見えず、すなわち、ＯＡＭシステムによって監視できない一つ以上のアンミラードオブジェクトの、或いはための少なくとも何らかの可観測性を提供することが考案される。この目的のために、現在のオブジェクトに加えて、アンミラードオブジェクトについての統計を搬送するよう、新しいオブジェクトが導入されてもよい。代わりに、アンミラードオブジェクトについての統計は、アンミラードオブジェクトの親オブジェクトのような既存のオブジェクトで搬送されてもよい。アンミラードオブジェクトのためのカウンタはそのとき、これらの新しいオブジェクトまたは既存のオブジェクトの上で報告できる。新しいオブジェクトはＰＭのようにアンミラードオブジェクトのグループを代表する。同じ親オブジェクトの下で、例えばそのオブジェクトクラスのすべてのアンミラードオブジェクトのカウンタは取りまとめられて、一つのオブジェクトで報告されてよい。このように、また、アンミラードオブジェクトのためのＰＭデータは、ＯＡＭシステムまたはＮＥとＯＡＭシステムとの間の伝送システムに高負荷をかけることなく監視できる。新しいオブジェクトは今後ＰＭオブジェクトと称される。
【００６０】
図５は基本的に図４においてと同じ例を示すけれども、図５においては、ミラードオブジェクトだけが示されている。それにも関わらず、図４によって図式的に示されるようなやり方でアンミラードオブジェクトもまた存在しており、従って、アンミラードオブジェクトを参照するときには、図４の参照符号が使われるであろう。図５はまた、アンミラードオブジェクト（すなわち、アンミラードＥＵｔｒａｎＲｅｌａｔｉｏｎオブジェクト３４０ａ、３４０ｂ、３４０ｃに関係し、かつまたオプションでミラードＥＵｔｒａｎＲｅｌａｔｉｏｎオブジェクト３４０のためのＰＭオブジェクトであるＥＵｔｒａｎＲｅｌａｔｉｏｎ  ＰＭオブジェクト３６０および、アンミラードＥｘｔｅｒｎａｌＥＵｔｒａｎＧｅｎｅｒｉｃＣｅｌｌオブジェクト４２０ａ、４２０ｂ、４２０ｃに関係し、かつまたオプションで外部のＥｘｔｅｒｎａｌＥＵｔｒａｎＧｅｎｅｒｉｃＣｅｌｌオブジェクト４２０のためのＰＭオブジェクトであるＥｘｔｅｒｎａｌＥＵｔｒａｎＧｅｎｅｒｉｃＣｅｌｌ  ＰＭオブジェクト４４０）に関する統計を報告するために使われたＰＭオブジェクトを示す。
【００６１】
アンミラードオブジェクトが使われる場合には、ＰＭオブジェクトはＣＲとＥＣとのために実装できるが、すべての他のオブジェクトタイプのためにも実装され得る。以下において、それに限定されることはないが、図５に例示するようにＣＲとＥＣとのために実装されたＰＭオブジェクトが参照されるのみであろう。
【００６２】
以下では、図５のオブジェクトモデルの使用が、図１の概略アーキテクチャを参照して説明されるであろう。以下において、ｅＮＢ１０の視点において、ＥＵｔｒａｎＧｅｎｅｒｉｃＣｅｌｌオブジェクト３２０がｅＮＢ１０によって提供されたセルと関連づけられて、ＥｘｔｅｒｎａｌＥＵｔｒａｎＧｅｎｅｒｉｃＣｅｌｌオブジェクト４２０がｅＮＢ１２によって提供されたセルと関連づけられて、さらなるＥｘｔｅｒｎａｌＥＵｔｒａｎＧｅｎｅｒｉｃＣｅｌｌオブジェクト４２０ａがｅＮＢ１４によって提供されたセルと関連づけられると仮定される。ＥｘｔｅｒｎａｌＥＵｔｒａｎＧｅｎｅｒｉｃＣｅｌｌオブジェクト４２０、さらにＥＵｔｒａｎＲｅｌａｔｉｏｎ３４０（すなわちｅＮＢ１０からｅＮＢ１２への関係）は、ミラードオブジェクトであり、すなわちそれらは、ＯＡＭシステムでは見える（ＯＡＭシステムは、前記オブジェクトを監視することができる）。それどころか、更なるＥｘｔｅｒｎａｌＥＵｔｒａｎＧｅｎｅｒｉｃＣｅｌｌオブジェクト４２０ａ、更なるＥＵｔｒａｎＲｅｌａｔｉｏｎオブジェクト３４０ａ（すなわちｅＮＢ１０からｅＮＢ１４への関係）は、アンミラードオブジェクトであり、すなわちそれらは、ＯＡＭシステムには見えない（ＯＡＭシステムは、前記オブジェクトを監視することができない）。
【００６３】
さらに、ＵＥがｅＮＢ１０により提供されたセル内に置かれている、すなわちｅＮＢ１０がサービングｅＮＢ１０であるとする。ＵＥがｅＮＢ１２によって提供されたセルに入るならば、ｅＮＢ１０からｅＮＢ１２へのハンドオーバーが開始されて、このハンドオーバーの結果として、ｅＮＢ１２はＵＥの新しいサービングｅＮＢになる。ｅＮＢ１０からｅＮＢ１２へのこのハンドオーバーによって、ＥＵｔｒａｎＲｅｌａｔｉｏｎオブジェクト３４０が使用されて、従って、ＥＵｔｒａｎＲｅｌａｔｉｏｎオブジェクト３４０に関係したＰＭデータがＯＡＭシステムに送信される。
【００６４】
さらにまた、更なるＵＥがｅＮＢ１０によって提供されたセルからＮＢ１４によって提供されたセル内に移動するならば、そのとき、ｅＮＢ１０からｅＮＢ１４へのハンドオーバーが開始されて、このハンドオーバーの結果として、ｅＮＢ１４はこの更なるＵＥの新しいサービングｅＮＢになる。このｅＮＢ１０からｅＮＢ１４へのハンドオーバーによって、更なるＥＵｔｒａｎＲｅｌａｔｉｏｎオブジェクト３４０ａが使用される。しかしながら、更なるＥＵｔｒａｎＲｅｌａｔｉｏｎオブジェクト３４０ａはアンミラードオブジェクトであるため、ＥＵｔｒａｎＲｅｌａｔｉｏｎオブジェクト３４０ａに関係したＰＭデータは、従来の方法でＯＡＭシステムに送信されない。むしろ、さらなるＥＵｔｒａｎＲｅｌａｔｉｏｎオブジェクト３４０ａと関連づけられたＰＭデータはＥｘｔｅｒｎａｌＥＵｔｒａｎＲｅｌａｔｉｏｎ  ＰＭオブジェクト３６０上で蓄積される。さらにまた、いっそうさらなるＥＵｔｒａｎＲｅｌａｔｉｏｎオブジェクトと３４０ｂ、３４０ｃ（図４）と関連づけられたＰＭデータが、ＥＵｔｒａｎＲｅｌａｔｉｏｎ  ＰＭオブジェクト３６０上で蓄積されてもよい。蓄積されたＰＭデータは、そのとき、ＥＵｔｒａｎＲｅｌａｔｉｏｎ  ＰＭオブジェクト３６０を用いてＯＡＭシステムに送信されてもよい。
【００６５】
このように、ＥＵｔｒａｎＲｅｌａｔｉｏｎオブジェクトのためのＰＭデータがすべてのオブジェクトのために別々に転送されるわけではないので、ＯＡＭシステムへのＰＭシグナリングは、図３に示されたオブジェクトモデルに比べて減らされるけれども、アンミラードオブジェクトのためにＥＵｔｒａｎＲｅｌａｔｉｏｎ  ＰＭオブジェクトの上で蓄積される。図４のみを参照して前に説明したオブジェクトモデルに比べて、ＯＡＭシグナリングは、もう少し高い（図４を参照して前に説明したように、アンミラードオブジェクトのために報告されるＰＭデータはない）かもしれないが、複数のアンミラードオブジェクトのために蓄積されたＰＭデータを提供することによって、ＯＡＭシステムはアンミラードオブジェクトからの、かつアンミラードオブジェクトのついてのＰＭ情報を受信する。しかしながら、図４のみを参照して説明したような方法でオブジェクトモデルが使用される場合に、アンミラードオブジェクトのためにＯＡＭシステムに提供されるＰＭデータフィードバックはない。
【００６６】
上述したミラードオブジェクトのＰＭデータの報告のバリエーションとして、ミラードオブジェクトもまたそれぞれのＰＭオブジェクトの上で蓄積されてもよい。例えば、ミラードＥＵｔｒａｎＲｅｌａｔｉｏｎオブジェクト３４０と関連づけられたＰＭデータは、アンミラードＥＵｔｒａｎＲｅｌａｔｉｏｎオブジェクト（単数又は複数）３４０ａ、３４０ｂ、３４０ｃのＰＭデータとともにＥＵｔｒａｎＲｅｌａｔｉｏｎ  ＰＭオブジェクト３６０上で蓄積されてもよい。
【００６７】
新しく作成されたＰＭオブジェクトの使用の代案として、アンミラードオブジェクトに関する統計をアンミラードオブジェクトの親オブジェクトの上で処理することができる。例えば、アンミラードＥＵｔｒａｎＲｅｌａｔｉｏｎオブジェクト３４０ａ、３４０ｂ、３４０ｃの統計を、ＥＵｔｒａｎＧｅｎｅｒｉｃＣｅｌｌオブジェクト３２０上で処理してもよい。これは、以下で再び図１の概略アーキテクチャを参照して、かつ図４を参照して例示されるであろう。
【００６８】
以下において、ｅＮＢ１０の視点において、ＥＵｔｒａｎＧｅｎｅｒｉｃＣｅｌｌオブジェクト３２０がｅＮＢ１０によって提供されたセルと関連づけられて、ＥｘｔｅｒｎａｌＥＵｔｒａｎＧｅｎｅｒｉｃＣｅｌｌオブジェクト４２０がｅＮＢ１２によって提供されたセルと関連づけられて、さらなるＥｘｔｅｒｎａｌＥＵｔｒａｎＧｅｎｅｒｉｃＣｅｌｌオブジェクト４２０ａがｅＮＢ１４によって提供されたセルと関連づけられると仮定される。ＥｘｔｅｒｎａｌＥＵｔｒａｎＧｅｎｅｒｉｃＣｅｌｌオブジェクト４２０、さらにＥＵｔｒａｎＲｅｌａｔｉｏｎ３４０（すなわちｅＮＢ１０からｅＮＢ１２への関係）は、ミラードオブジェクトであり、すなわちそれらは、ＯＡＭシステムには見える（ＯＡＭシステムは、前記オブジェクトを監視することができる）。それどころか、更なるＥｘｔｅｒｎａｌＥＵｔｒａｎＧｅｎｅｒｉｃＣｅｌｌオブジェクト４２０ａ、さらに、更なるＥＵｔｒａｎＲｅｌａｔｉｏｎオブジェクト３４０ａ（すなわちｅＮＢ１０からｅＮＢ１４への関係）は、アンミラードオブジェクトであり、すなわちそれらは、ＯＡＭシステムには見えない（ＯＡＭシステムは、前記オブジェクトを監視することができない）。
【００６９】
さらに、ＵＥがｅＮＢ１０により提供されたセル内に置かれている、すなわちｅＮＢ１０がサービングｅＮＢ１０であるとする。ＵＥがｅＮＢ１２によって提供されたセルに入るならば、ｅＮＢ１０からｅＮＢ１２へのハンドオーバーが開始されて、このハンドオーバーの結果として、ｅＮＢ１２はＵＥの新しいサービングｅＮＢになる。ｅＮＢ１０からｅＮＢ１２へのこのハンドオーバーによって、ＥＵｔｒａｎＲｅｌａｔｉｏｎオブジェクト３４０が使用されて、従って、ＥＵｔｒａｎＲｅｌａｔｉｏｎオブジェクト３４０に関係したＰＭデータがＯＡＭシステムに送信される。
【００７０】
さらにまた、更なるＵＥがｅＮＢ１０によって提供されたセルからＮＢ１４によって提供されたセル内に移動するならば、そのとき、ｅＮＢ１０からｅＮＢ１４へのハンドオーバーが開始されて、このハンドオーバーの結果として、ｅＮＢ１４はこの更なるＵＥの新しいサービングｅＮＢになる。このｅＮＢ１０からｅＮＢ１４へのハンドオーバーによって、更なるＥＵｔｒａｎＲｅｌａｔｉｏｎオブジェクト３４０ａが使用される。しかしながら、更なるＥＵｔｒａｎＲｅｌａｔｉｏｎオブジェクト３４０ａはアンミラードオブジェクトであるため、ＥＵｔｒａｎＲｅｌａｔｉｏｎオブジェクト３４０ａに関係したＰＭデータは、従来の方法でＯＡＭシステムに送信されない。むしろ、さらなるＥＵｔｒａｎＲｅｌａｔｉｏｎオブジェクト３４０ａと関連づけられたＰＭデータは、更なるＥＵｔｒａｎＲｅｌａｔｉｏｎオブジェクト３４０ａの親オブジェクト上で蓄積される。以下では、例として、更なるＥＵｔｒａｎＲｅｌａｔｉｏｎオブジェクト３４０ａの直接親オブジェクト、すなわちＥＵｔｒａｎＧｅｎｅｒｉｃＣｅｌｌオブジェクト３２０が使用される。この結果、さらなるＥＵｔｒａｎＲｅｌａｔｉｏｎオブジェクト３４０ａと関連づけられたＰＭデータはＥＵｔｒａｎＧｅｎｅｒｉｃＣｅｌｌオブジェクト３２０上で蓄積される。さらに、いっそうさらなるＥＵｔｒａｎＲｅｌａｔｉｏｎオブジェクトと３４０ｂ、３４０ｃと関連づけられたＰＭデータも、ＥＵｔｒａｎＧｅｎｅｒｉｃＣｅｌｌオブジェクト３２０上で蓄積されてもよい。蓄積されたＰＭデータは、そのとき、ＥＵｔｒａｎＧｅｎｅｒｉｃＣｅｌｌオブジェクト３２０を用いてＯＡＭシステムに送信されてもよい。
【００７１】
このように、ＥＵｔｒａｎＲｅｌａｔｉｏｎオブジェクトのためのＰＭデータがすべてのオブジェクトのために別々に転送されるわけではないので、ＯＡＭシステムへのＰＭシグナリングは、図３に示されたオブジェクトモデルに比べて減らされるけれども、アンミラードオブジェクトのためにＥＵｔｒａｎＧｅｎｅｒｉｃＣｅｌｌオブジェクト３２０の上で蓄積される。図４のみを参照して前に説明したオブジェクトモデルに比べて、ＯＡＭシグナリングは、もう少し高い（図４を参照して前に説明したように、アンミラードオブジェクトのために報告されるＰＭデータはない）かもしれないが、複数のアンミラードオブジェクトのために蓄積されたＰＭデータを提供することによって、ＯＡＭシステムはアンミラードオブジェクトからのＰＭ情報を受信する。しかしながら、図４を参照して前に説明したような、アンミラードオブジェクトのためにシグナリングされるＰＭデータがないオブジェクトモデルを使用する場合、アンミラードオブジェクトのためにＯＡＭシステムへのＰＭデータのフィードバックは提供されない。
【００７２】
上述したミラードオブジェクトのＰＭデータの報告のバリエーションとして、ミラードオブジェクトもまたそれぞれの親オブジェクトの上で蓄積されてもよい。例えば、ミラードＥＵｔｒａｎＲｅｌａｔｉｏｎオブジェクト３４０と関連づけられたＰＭデータは、アンミラードＥＵｔｒａｎＲｅｌａｔｉｏｎオブジェクト（単数又は複数）３４０ａ、３４０ｂ、３４０ｃのＰＭデータとともにＥＵｔｒａｎＧｅｎｅｒｉｃＣｅｌｌオブジェクト３２０上で蓄積されてもよい。
【００７３】
上述した態様が模範的な方法実の施形態についてさらに説明されるであろう前に、ＰＭ報告を可能ならしめる基本構造が例として簡単に説明されるであろう。
【００７４】
図６において見ることができるように、ネットワークエレメント１０とＯＡＭシステム２００が提供され、それらは互いに接続されている。ネットワークエレメント１０は、処理装置１１０、記憶装置１２０、およびＯＡＭシステムインタフェース１３０を含んでいる。記憶装置１２０は、ネットワークエレメント１０に関係した統計のようなＰＭデータを記憶するよう構成される。処理装置は記憶装置１２０と接続され、ＰＭデータに関係したデータまたはＰＭデータ自身を処理するよう構成される。ＯＡＭシステムインタフェース１３０は処理装置１１０に接続していて、ＯＡＭシステム２００と双方向に情報を交換するよう構成される。
【００７５】
図７に示された第一の方法の実施形態に関してこれからより詳細に説明されるであろう。上述した態様のすべては、互いに組み合わせて、または互いに独立して、図７及び図８を参照して以下に説明される第一と第二の方法の実施形態に適用することができる。
【００７６】
処理装置１１０は、一つ以上のオブジェクトのうち少なくとも一つがアンミラードオブジェクトであるかどうかをステップ７０２において判定するよう構成された判定コンポーネント１１２と、前記一つ以上のオブジェクトのうち少なくとも一つがアンミラードオブジェクトであるならば、ネットワークエレメントと関連付けられた更なるオブジェクトのＰＭデータと共に前記少なくとも一つのアンミラードオブジェクトのＰＭデータをステップ７０４において蓄積するよう構成された蓄積コンポーネント１１４とを有する。ＯＡＭシステムインタフェース１３０は、ＯＡＭシステム２００に蓄積されたＰＭデータをステップ７０６において提供するよう構成された送信コンポーネント１３２を有する。
【００７７】
より詳細には、処理装置１１０は判定コンポーネント１１２によって、ネットワークエレメント１０のためのＰＭデータがＯＡＭシステムに提供されることになっているそのネットワークエレメント１０と関連づけられたなんらかのアンミラードオブジェクトがあるか判定するよう構成される（ステップ７０２）。一つ以上のアンミラードオブジェクトのためのＰＭデータがＯＡＭシステム２００に提供されることになっているその一つ以上のアンミラードオブジェクトがあるならば、処理装置１１０は、記憶装置１２０からアンミラードオブジェクトのＰＭデータを検索するよう構成される。さらに、処理装置１１０は、蓄積コンポーネント１１４によって、ネットワークエレメントと関連づけられたさらなるオブジェクトのＰＭデータと共に、検索されたアンミラードオブジェクトのＰＭデータを蓄積するよう構成される（ステップ７０４）。処理装置１１０は、蓄積されたＰＭデータをＯＡＭシステムインタフェース１３０に転送するよう構成される。
【００７８】
ＯＡＭシステムインタフェース１３０は、蓄積されたＰＭデータを受信するよう構成される。さらに、ＯＡＭシステムインタフェース１３０は、送信コンポーネント１３２により、ＯＡＭシステム２００へ蓄積されたＰＭデータを提供するよう、例えば送信するよう、構成される（ステップ７０６）。
【００７９】
ＰＭデータは多くの異なる方法で処理装置１１０によって蓄積され得る。
【００８０】
例えば、図５を参照して上述したように、ひとつのアンミラードオブジェクトクラスごとに、ＰＭオブジェクトのための統計が蓄積できるひとつのＰＭオブジェクトがあり得る。すなわち、処理装置１１０は、一つのＰＭオブジェクトの上に、同じオブジェクトクラスに属しているアンミラードＰＭオブジェクトのＰＭデータを蓄積するよう構成され得る。例えば、処理装置１１０は、一つのＰＭオブジェクトの上に一つのアンミラードＰＭオブジェクトのＰＭデータを蓄積するよう構成され得る。代わりに、処理装置１１０は、一つのＰＭオブジェクトの上に二つ以上のアンミラードオブジェクトのＰＭデータを蓄積するよう構成され得る。同じ親オブジェクトの下にアンミラードオブジェクトを持っている異なるオブジェクトクラスがあるならば、いくつかのＰＭオブジェクトが同じ親オブジェクトの下にあってよい。
【００８１】
処理装置１１０が、一つ以上のアンミラードオブジェクトのために記憶装置１２０から検索されたＰＭデータ、例えば統計を、親オブジェクトまたは他の蓄積クラスに置くよう構成されることが考えられる。例えば、処理装置１１０は、ＥＵｔｒａｎＧｅｎｅｒｉｃＣｅｌｌオブジェクト３２０上に、アンミラードＥＵｔｒａｎＲｅｌａｔｉｏｎオブジェクト３４０ａのような蓄積されたＣＲオブジェクトのためのカウンタを置くことができる。
【００８２】
アンミラードオブジェクトのみについての統計を蓄積することの代案は、ミラードオブジェクトとアンミラードオブジェクトの両方についての統計を蓄積することである。そのとき、ミラードオブジェクトとアンミラードオブジェクトとの間の分離は、蓄積された統計の全体と、ミラードオブジェクトについての個別の統計に関する知識を有しているＯＡＭシステムにおいて成される。この代案は、ＯＡＭ２００システムが個々のオブジェクトに関するどのような統計も集めなくても、すべてのオブジェクトについての蓄積された統計が常に使用可能であるという利点を持っている。
【００８３】
例えば、ＰＭオブジェクトは、ミラードオブジェクトについての統計も蓄積するために処理装置１１０によって使用でき、それによりＯＡＭシステムの上のＰＭ負荷を減少させる。このように、アンミラードオブジェクト及びミラードオブジェクトのＰＭデータは両方とも、たとえば同じ又は別々のＰＭオブジェクトの上に蓄積できる。一例を挙げると、ミラードＥＵｔｒａｎＲｅｌａｔｉｏｎオブジェクト３４０のＰＭデータは、新しく作成されたＰＭオブジェクトとしてのＥＵｔｒａｎＲｅｌａｔｉｏｎ  ＰＭオブジェクト３６０上で、または親オブジェクトとしてのＥＵｔｒａｎＧｅｎｅｒｉｃＣｅｌｌオブジェクト３２０上で、アンミラードＥＵｔｒａｎＲｅｌａｔｉｏｎオブジェクト（単数又は複数）３４０ａ、３４０ｂ、３４０ｃのＰＭデータと共に蓄積できる。
【００８４】
処理装置１１０が、アンミラードオブジェクトのための統計のようなＰＭデータのほかに、ＯＡＭシステム２００が個別の統計を集めないミラードオブジェクトのための統計のようなＰＭデータを含むことも考えられる。他のミラードオブジェクトについては、ＯＡＭシステム２００は従来の方法でＰＭのためにデータを集め、それゆえ、処理装置１１０は、前記他のミラードオブジェクトについてのいかなるＰＭデータも蓄積しない。このように、（従来監視されていたミラードオブジェクトについての）個々の統計として、選択された一部のオブジェクトについての統計と、他の全てのオブジェクト、すなわち個別の統計を持たないミラードオブジェクト、およびアンミラードオブジェクトについての統計とが、蓄積された統計の中で利用可能である。
【００８５】
貢献が大きいけれどもＯＡＭシステム２００が個々の統計を集めない、より多くの個々のオブジェクトに関する統計をオペレータが起動させることをより容易にすべく、これらのオブジェクトのＩＤを、蓄積されたカウンタが報告される処理装置１１０によってオブジェクトの上の属性に書き込むことができる。オペレータは、どのオブジェクトまたはオブジェクトらが最も統計に寄与しているか容易に把握でき、そしてそれらのための個々のカウンタを起動させることを選択できる。
【００８６】
図８は、更なる方法の実施形態を示す。特に、図８は、図７の蓄積ステップ７０４と提供ステップ７０６との一つの可能な具現化を説明する。
【００８７】
ステップ８０２において、処理装置１１０は、一定の収集期間中、ネットワークエレメント１０（この中に処理装置１１０が配置されている）内のすべてのアンミラードオブジェクトに関する統計を集める。収集期間は固定されていてもよいし、ＯＡＭシステム２００によって提供された情報に基づいて、処理装置１１０によって変更されてもよい。収集期間は１分以上かつ１時間または数時間までであってよい。制限するものではないが説明のためのいくつかの例をあげると、収集期間の例は、５分、１５分、３０分、または１時間であってよい。
【００８８】
収集期間の後すなわち収集期間が終わったとき、処理装置１１０はステップ８０４においてアンミラードオブジェクトのためのカウンタを蓄積する。例えば、処理装置１１０は、親オブジェクトごとにオブジェクトクラスごとにＰＭオブジェクトの上に前記カウンタを蓄積する。
【００８９】
ステップ８０６において、処理装置は、蓄積されたカウンタをＯＡＭシステムインタフェース１３０に転送し、そしてそれは、それ自身がそのときに、ＰＭオブジェクトの上に蓄積されたカウンタをＯＡＭシステム２００に報告する。
【００９０】
第二の方法の実施形態が更に、図１の概略アーキテクチャを参照してこれから以下に説明される。
【００９１】
以下において、ｅＮＢ１０の視点において、ＥＵｔｒａｎＧｅｎｅｒｉｃＣｅｌｌオブジェクト３２０がｅＮＢ１０によって提供されたセルと関連づけられて、ＥｘｔｅｒｎａｌＥＵｔｒａｎＧｅｎｅｒｉｃＣｅｌｌオブジェクト４２０がｅＮＢ１２によって提供されたセルと関連づけられて、さらなるＥｘｔｅｒｎａｌＥＵｔｒａｎＧｅｎｅｒｉｃＣｅｌｌオブジェクト４２０ａがｅＮＢ１４によって提供されたセルと関連づけられると仮定される。ＥｘｔｅｒｎａｌＥＵｔｒａｎＧｅｎｅｒｉｃＣｅｌｌオブジェクト４２０および、さらにＥＵｔｒａｎＲｅｌａｔｉｏｎ３４０（すなわちｅＮＢ１０からｅＮＢ１２への関係）はミラードオブジェクトであり、すなわちそれらは、ＯＡＭシステムでは見える（ＯＡＭシステムは、前記オブジェクトを監視することができる）。それどころか、更なるＥｘｔｅｒｎａｌＥＵｔｒａｎＧｅｎｅｒｉｃＣｅｌｌオブジェクト４２０ａ、そしてさらに、更なるＥＵｔｒａｎＲｅｌａｔｉｏｎオブジェクト３４０ａ（すなわちｅＮＢ１０からｅＮＢ１４への関係）は、アンミラードオブジェクトであり、すなわちそれらは、ＯＡＭシステム２００では見えない（ＯＡＭシステム２００は、前記オブジェクトを監視することができない）。
【００９２】
さらに、第一のＵＥがｅＮＢ１０により提供されたセル内に置かれている、すなわちｅＮＢ１０がサービングｅＮＢ１０であるとする。ＵＥがｅＮＢ１２によって提供されたセルに入るならば、ｅＮＢ１０からｅＮＢ１２へのハンドオーバーが開始されて、このハンドオーバーの結果として、ｅＮＢ１２は第一のＵＥの新しいサービングｅＮＢになる。ｅＮＢ１０からｅＮＢ１２へのこのハンドオーバーによって、ＥＵｔｒａｎＲｅｌａｔｉｏｎオブジェクト３４０が使用されて、それによって、ＥＵｔｒａｎＲｅｌａｔｉｏｎオブジェクト３４０に関係したＰＭデータがＯＡＭシステム２００に送信される。
【００９３】
さらにまた、第二のＵＥがｅＮＢ１０によって提供されたセルからＮＢ１４によって提供されたセル内に移動し、そのとき、ｅＮＢ１０からｅＮＢ１４へのハンドオーバーが開始されて、このハンドオーバーの結果として、ｅＮＢ１４はこの更なるＵＥの新しいサービングｅＮＢになるとする。さらにまた、第三のＵＥがｅＮＢ１０によって提供されたセルから更なるｅＮＢ（ｅＮＢ）によって提供された他のセル内に移動し、そのとき、ｅＮＢ１０から更なるｅＮＢへのハンドオーバーが開始されて、このハンドオーバーの結果として、更なるｅＮＢは第三のＵＥの新しいサービングｅＮＢになるとする。ｅＮＢ１０からｅＮＢ１４への、およびｅＮＢ１０から更なるｅＮＢ（不図示）へのこれらハンドオーバーにより、二つのＥＵｔｒａｎＲｅｌａｔｉｏｎオブジェクト３４０ａ、３４０ｂが使用される。しかしながら、二つのＥＵｔｒａｎＲｅｌａｔｉｏｎオブジェクト３４０ａ、３４０ｂはアンミラードオブジェクトであるため、二つのＥＵｔｒａｎＲｅｌａｔｉｏｎオブジェクト３４０ａ、３４０ｂ関係したＰＭデータは、従来の方法ではＯＡＭシステムに送信されない。むしろ、二つのＥＵｔｒａｎＲｅｌａｔｉｏｎオブジェクト３４０ａ、３４０ｂと関連づけられたＰＭデータは収集期間中に集められる（ステップ８０２）。収集期間は柔軟に調整できてもよいし、一定期間に固定されてもよい。
【００９４】
収集期間が終わった後、アンミラードＥＵｔｒａｎＲｅｌａｔｉｏｎオブジェクト４２０ａ、４２０ｂのようなすべてのアンミラードオブジェクトのＰＭデータは、対応するＰＭオブジェクトまたは親オブジェクトの上に蓄積される（ステップ８０４）。この結果、すべてのＥＵｔｒａｎＲｅｌａｔｉｏｎオブジェクト３４０ａ、３４０ｂと関連づけられたＰＭデータは、一つの単一オブジェクト上に蓄積される。蓄積されたＰＭデータは、それから、単一のオブジェクト、例えば単一のＰＭオブジェクトまたは単一の親オブジェクトを用いてＯＡＭシステムに転送される（ステップ８０６）。
【００９５】
上述したミラードオブジェクトのＰＭデータの報告のバリエーションとして、ミラードオブジェクトもまたそれぞれのＰＭオブジェクトまたは親オブジェクトの上に蓄積されてもよく、アンミラードオブジェクトのためには何でも使用される。例えば、ミラードＥＵｔｒａｎＲｅｌａｔｉｏｎオブジェクト３４０と関連づけられたＰＭデータは、アンミラードＥＵｔｒａｎＲｅｌａｔｉｏｎオブジェクト（単数又は複数）３４０ａ、３４０ｂのＰＭデータとともに、ＥＵｔｒａｎＲｅｌａｔｉｏｎ  ＰＭオブジェクト３６０またはＥＵｔｒａｎＧｅｎｅｒｉｃＣｅｌｌオブジェクト３２０上に蓄積されてもよい。
【００９６】
上述した実施形態および実施形態のバリエーションによって、いくつかのオブジェクト例えば隣接セル及びセル関係がＯＡＭシステムにおいてコピー(mirrored)されない、多くのセルを有する巨大なネットワークの中で、アンミラードセルを監視することも可能である。また、ミラードオブジェクトのためのＯＡＭシステムの上のＰＭ負荷を減少させることができる。
【００９７】
この解決策は、例えば３ＧＰＰ  ＴＳ３２．７６２に従う既存のオブジェクトクラスを用いて、ＰＭオブジェクトを特定する特定の属性値を使うか、或いは、ミラードオブジェクトクラスおよびアンミラードオブジェクトクラスのほかに、新たなオブジェクトクラスのための統計が報告されるその新たなオブジェクトクラスを定義することによって、実施できる。新たなオブジェクトクラスが使われるならば、それは属性によって、オブジェクトのための統計が蓄積されるそのオブジェクトのＩＤを示すことができる。
【００９８】
本開示の多くの利点が前述の説明から十分に理解されるであろうし、本開示の範囲を逸脱せずにまたはその利点のすべてを犠牲にせずにそれの模範的な態様の形式、構造、および配置において、様々な変更ができることは明らかであろうと考えられる。本開示が多くの点で変更することができるので、本開示が以下の特許請求の範囲によってのみ限定されるべきであることは認められるであろう。
【図１】
0006548637.tif 000002
【図２】
0006548637.tif 000003
【図３】
0006548637.tif 000004
【図４】
0006548637.tif 000005
【図５】
0006548637.tif 000006
【図６】
0006548637.tif 000007
【図７】
0006548637.tif 000008
【図８】
0006548637.tif 000009